(57)【要約】【課題】  従来の蛍光灯用ソケットを活用しながら、雑音防止用コンデンサを接続するための専用ハーネスを省略できる、新規な構造を提案する。【解決手段】  蛍光灯用ソケット１０との係合部２２および取付パネル８との係合部２３を有したコンデンサホルダ２０を、蛍光灯用ソケット１０と取付パネル８との間に介装する。蛍光灯１側の接続端子の一つとコンデンサ４側の接続端子の一つとを短い電線９で接続するので、コンデンサ４を接続するための専用ハーネスを省略することができる。【選択図】  図１
2007035443.tif 000002
【特許請求の範囲】
【請求項１】
蛍光灯を被取付体に取り付けるために用いる蛍光灯用ソケットに回路用コンデンサを並設するためのコンデンサホルダであって、
前記被取付体と前記蛍光灯用ソケットとの間に介装される本体部分と、
前記蛍光灯用ソケットのうち前記被取付体に係合する部分と係合する、前記本体部分に連設された第１の係合部と、
前記被取付体のうち前記蛍光灯用ソケットが係合する部分と係合する、前記本体部分に連設された第２の係合部と、
前記回路用コンデンサを収納して保持する、前記本体部分に凹設されたコンデンサ収納部と、
を備えることを特徴とする蛍光灯用ソケットのコンデンサホルダ。
【請求項２】
前記コンデンサの電極に電線を接続するための端子を収納する、前記本体部分に凹設された端子収納部をさらに備えることを特徴とする請求項１に記載した蛍光灯用ソケットのコンデンサホルダ。
【請求項３】
前記コンデンサ収納部に収納されて保持されている前記回路用コンデンサを前記本体部分に係止する、前記本体部分に連設されて弾性的に湾曲自在な係止レバーをさらに備えることを特徴とする請求項１または２に記載した蛍光灯用ソケットのコンデンサホルダ。
【発明の詳細な説明】
【技術分野】
【０００１】
本発明は、蛍光灯用ソケットに回路用コンデンサを並設するためのコンデンサホルダに関し、より詳しくは、従来使用している蛍光灯用ソケットをそのまま活用しつつ、回路用コンデンサを接続するための専用ハーネスを省略して全体的な製造コストを低減する技術に関する。
【背景技術】
【０００２】
従来、自動販売機等の照明用として直管蛍光灯が用いられているが、この直管蛍光灯を自動販売機本体に固定する目的、および直管蛍光灯の末端から突出している一対のピン状電極に電源接続用配線を接続する目的のために、様々な形態の蛍光灯用ソケットが用いられている（例えば、下記特許文献１〜３を参照）。
【０００３】
特許文献１に記載されている蛍光灯用ソケットは、自動販売機等に設けた取付パネルの係合孔に係止されるものであって、蛍光灯をその長手方向中心軸の回りに回動させることなく取り付けることができるとともに、蛍光灯のピン状電極と電源接続配線側の接続端子とを確実に接触させることができ、さらには蛍光灯を取り付けるときの案内および取り付け後の固定を湾曲自在な係止レバーによって行う構造となっている。
【０００４】
一方、図７に示したように、インバータを用いた蛍光灯の電源回路においては、共振回路の一部を構成するとともに蛍光灯の始動にも用いる共振コンデンサを、蛍光灯と並列に接続するようになっている。
また、グローランプを用いて蛍光灯を始動する回路を用いる場合にも、雑音防止用コンデンサを蛍光灯と並列に接続するようになっている。
【０００５】
そこで、特許文献１に記載されている蛍光灯用ソケットを使用する際には、図８に示したように、蛍光灯用ソケット１０に接続した電源接続用ハーネス２の途中に介装した分岐用コネクタ３に、コンデンサ４が取り付けられているハーネス５のソケット６を接続し、電源回路の途中にコンデンサ４を配設するようになっている。
【０００６】
これに対して、特許文献２に記載されている蛍光灯用ソケットは、点灯管および雑音防止用コンデンサを一体に組み込んだ構造となっている。
【０００７】
さらに、特許文献３に記載されている蛍光灯用ソケットは、そのベース部分に共振コンデンサを収納した構造となっている。
【０００８】
【特許文献１】実公平６−１６４３７号公報
【特許文献２】実開昭６０−１０９２９１号公報
【特許文献３】特開２０００−２３７０１３号公報
【発明の開示】
【発明が解決しようとする課題】
【０００９】
すなわち、特許文献１に記載されているタイプの蛍光灯用ソケット１０は、小型でシンプルな構造であり、かつ直管蛍光灯の左右両端部に共通に用いることができるが、コンデンサ４を取り付けるために専用のハーネス５が必要であり、コスト削減の余地があった。
【００１０】
また、特許文献２に記載されている蛍光灯用ソケットは大型であり、かつ直管蛍光灯の左右両端部に共通に用いることができない。
同様に、特許文献３に記載されている蛍光灯用ソケットは、共振コンデンサを収納できるベース部を有するほど大型であり、省スペース性が求められる自動販売機には不向きである。
【００１１】
そこで本発明の目的は、上述した従来技術が有する問題点を解消し、特許文献１に記載されているタイプの蛍光灯用ソケットをそのまま活用しつつ、雑音防止用コンデンサや共振コンデンサ等の回路用コンデンサを取り付けるための専用ハーネスを省略することができる、省スペースで低コストな新しい構造を提案することにある。
【課題を解決するための手段】
【００１２】
上記の課題を解決するための請求項１に記載した手段は、
蛍光灯を被取付体に取り付けるために用いる蛍光灯用ソケットに回路用コンデンサを並設するためのコンデンサホルダであって、
前記被取付体と前記蛍光灯用ソケットとの間に介装される本体部分と、
前記蛍光灯用ソケットのうち前記被取付体に係合する部分と係合する、前記本体部分に連設された第１の係合部と、
前記被取付体のうち前記蛍光灯用ソケットが係合する部分と係合する、前記本体部分に連設された第２の係合部と、
前記回路用コンデンサを収納して保持する、前記本体部分に凹設されたコンデンサ収納部と、
を備えることを特徴としている。
【００１３】
すなわち、請求項１に記載したコンデンサホルダは、蛍光灯用ソケットと被取付体との間に介装して使用するものであるから、蛍光灯用ソケットおよび被取付体の取付部の形状を変更する必要が無く、従来使用している部品をそのまま使用することができる。
これにより、コンデンサを取り付けるために新しい蛍光灯用ソケットを製造する必要がなく、従来通りに蛍光灯の左右両端に同一の蛍光灯用ソケットを使用することができるから、蛍光灯用ソケットの種類が増加することはない。
そして、このコンデンサホルダに保持したコンデンサの電極と蛍光灯用ソケットに保持した蛍光灯の電極とを短い電線等によって直結することにより、蛍光灯の電気回路にコンデンサを並設することができるから、コンデンサを接続するための専用ハーネスを廃止して部品点数を減少させ、全体的な製造コストを低減することができる。
なお、このコンデンサホルダの本体部分の厚み寸法だけ被取付体の固定位置を変更する必要があるが、被取付体は自動販売機等の本体にボルトやリベット等を用いて固定する構造が一般的であるので、その固定位置の変更は容易である。
【００１４】
また、請求項２に記載した手段は、請求項１に記載したコンデンサホルダが、前記コンデンサの電極に電線を接続するための端子を収納する、前記本体部分に凹設された端子収納部をさらに備えることを特徴とする。
【００１５】
すなわち、請求項２に記載したコンデンサホルダによれば、電線付きの端子がその端子収納部に収納されている本体部分にコンデンサを装着すると、コンデンサの電極と電線との接続を容易に行うことができるから、その組み立て効率を高めて製造コストを低減することができる。
【００１６】
さらに、請求項３に記載した手段は、請求項１または２に記載したコンデンサホルダが、前記コンデンサ収納部に収納されて保持されている前記回路用コンデンサを前記本体部分に係止する、前記本体部分に連設されて弾性的に湾曲自在な係止レバーをさらに備えることを特徴とする。
【００１７】
すなわち、請求項３に記載したコンデンサホルダによれば、係止レバーを弾性的に湾曲させつつ本体部分のコンデンサ収納部にコンデンサを取り付けると、元の状態へと復元した係止レバーがコンデンサを本体部分に係止するから、本体部分に取り付けたコンデンサの本体部分からの脱落を確実に防止することができる。
【発明の効果】
【００１８】
以上の説明から明らかなように、本発明によれば、従来使用している蛍光灯用ソケットや被取付体をそのまま活用しつつ、雑音防止用コンデンサや共振コンデンサ等の回路用コンデンサを接続するための専用ハーネス省略することができるから、部品点数を減少させて製造コストを低減することができる。
【発明を実施するための最良の形態】
【００１９】
以下、図１乃至図６を参照し、本発明に係る蛍光灯用ソケットのコンデンサホルダの一実施形態について詳細に説明する。なお、以下の説明においては、前述した従来技術を含めて同一の部分には同一の符号を用いる。
【００２０】
まず最初に図１および図２を参照し、本実施形態のコンデンサホルダ２０の使用形態について説明する。
【００２１】
図１に示したように、自動販売機の本体７には、側面視でＬ字形に折り曲げられた取付パネル（被取付体）８が、図示されないボルトあるいはリベット等によって固定されている。また、照明用の蛍光灯１には、従来から使用している蛍光灯用ソケット１０が取り付けられている。そして、この蛍光灯用ソケット１０と取付パネル８との間にはコンデンサ４を収納し保持しているコンデンサホルダ２０が介装されている。
【００２２】
さらに、図２に模式的に示したように、蛍光灯用ソケット１０に設けられている一対の接続端子１０ａ，１０ｂの一方１０ａ、およびコンデンサ４側の一対の接続端子４ａ，４ｂの一方４ａには、電源接続用ハーネス２の電線２ａ，２ｂがそれぞれ接続されている。
また、蛍光灯用ソケット１０の他方の接続端子１０ｂと、コンデンサ４側の他方の接続端子４ｂは、短い電線９によって直結されている。
これにより、電源接続用ハーネス２の電線２ａ，２ｂの間には共振コンデンサ４が直列に接続され、図８に示した従来の電気回路と同一の回路が成立している。
【００２３】
次に図３および図４を参照し、コンデンサホルダ２０の形状について説明する。
【００２４】
図３に示したように、このコンデンサホルダ２０の本体部分２１のうち蛍光灯用ソケット１０が取り付く側には、蛍光灯用ソケット１０のうち取付パネル（被取付体）８に係合する部分と係合する第１の係合部２２が形成されている。
また、図４に示したように、このコンデンサホルダ２０のうち取付パネル８に取り付けられる側には、取付パネル８のうち蛍光灯用ソケット１０に係合する部分と係合する第２の係合部２３が形成されている。
【００２５】
第１の係合部２２には、図５および図６に示されている蛍光灯用ソケット１０の左右一対の係止腕１３ａ，１３ｂの先端部分を受け入れるための、左右一対の貫通孔２４ａ，２４ｂが貫設されている。
また、この第１の係合部２２には、蛍光灯用ソケット１０の左右一対の係止腕１３ａ，１３ｂの先端部分を係止するための、左右一対の門型の係止部２５ａ，２５ｂが突設されている。
これにより、この第１の係合部２２には、図５および図６に示したように、蛍光灯用ソケット１０を取付パネル８に取り付けるのと全く同様に、蛍光灯用ソケット１０を取り付けることができる。
【００２６】
第２の係合部２３には、蛍光灯用ソケット１０の前端に突設されて取付パネル８の係止孔に貫通係合する凸部と形状がほぼ同一な、左右一対の凸部２６ａ，２６ｂが突設されている。
また、この第２の係合部２３には、蛍光灯用ソケット１０の左右の側面から前方に延びて取付パネル８の係止孔と貫通係合する左右一対の係止腕１３ａ，１３ｂと形状が同一なの、左右一対の係止腕２７ａ，２７ｂが並設されている。
これにより、この第２の係合部２３は、図１に示したように、蛍光灯用ソケット１０を取付パネル８に取り付けるのと全く同様に、取付パネル８に取り付けることができる。
【００２７】
さらに、コンデンサホルダ２０の本体部分２１の下面には、コンデンサ４を収納するためのコンデンサ収納部（図示せず）が凹設されている。
加えて、コンデンサホルダ２０の第１の係合部２２の側には、この収納部に収納したコンデンサ４が脱落しないように保持するための弾性的に可撓な係止レバー２８が並設されている。
これにより、係止レバー２８を弾性的に湾曲させつつ収納凹部内にコンデンサ４を挿入すると、係止レバー２８が元の形状に復元してその先端の係止部２８ａがコンデンサ４の下面に係合するので、コンデンサ４はコンデンサホルダ２０から脱落しないように保持される。
【００２８】
上述した形状を有する本実施形態のコンデンサホルダ２０は、図５および図６に示したように、蛍光灯用ソケット１０と一体に組み付けることができる。
次いで、蛍光灯用ソケット１０の上面に貫設されている端子収納孔１４に蛍光灯の電極のための電線付き接続端子を挿入し、コンデンサホルダ２０の上面に貫設されている左右一対の端子収納孔２９ａ，２９ｂにコンデンサ４の電極のための電線付き接続端子をそれぞれ挿入すると、図１および図２に示したように電線２ａ，２ｂ，９の取付が完了する。
【００２９】
このように組み立てられて配線が完了した蛍光灯用ソケット１０およびコンデンサホルダ２０は、図１に示したように取付パネル８に取り付けて固定することができる。
その後、蛍光灯の末端から突出している左右一対のピン状電極の間に蛍光灯用ソケット１０から下方に延びている係止レバー１１が入るように蛍光灯１を位置決めしつつ、係止レバー１１を弾性的に湾曲させながら蛍光灯を持ち上げると、左右一対のピン状電極が左右一対の案内溝１２ａ，１２ｂ（図５）内にそれぞれ入り込み、図示されない接続端子とそれぞれ係合する。
同時に、係止レバー１１の下端の係止部１１ａが蛍光灯１の口金の下面に係合し、この蛍光灯が蛍光灯用ソケット１０から脱落することを防止する。
【００３０】
すなわち、本実施形態のコンデンサホルダ２０は、蛍光灯用ソケット１０と取付パネル８との間に介装して使用するものであり、蛍光灯用ソケット１０および取付パネル８の形状を変更する必要が無く、従来使用している部品をそのまま使用することができる。
これにより、コンデンサ４を取り付けるために新しい蛍光灯用ソケットを製造する必要がなく、従来通りに蛍光灯の左右両端に同一の蛍光灯用ソケット１０をそのまま使用することができ、蛍光灯用ソケットの種類が増加することはない。
【００３１】
なお、コンデンサホルダ２０の本体部分２１の厚み寸法だけ取付パネル８の固定位置を変更する必要があるが、取付パネル８は、自動販売機の本体部分にボルトやリベット等を用いて固定する構造が一般的であるので、その固定位置の変更は容易である。
【００３２】
そして、コンデンサホルダ２０に保持したコンデンサ４の電極と蛍光灯用ソケット１０に保持した蛍光灯１の電極とを短い電線９によって直結すると、蛍光灯の電気回路の途中に共振コンデンサ４を直列に接続することができる。
これにより、コンデンサ４を接続するための専用ハーネス５を廃止して部品点数を減少させ、全体的な製造コストを低減することができる。
【００３３】
また、コンデンサホルダ２０に凹設されている収納部にコンデンサ４を収納すると、コンデンサ４の電極と接続端子とを容易かつ確実に接続することができ、さらには係止レバー２８によってコンデンサホルダ２０からのコンデンサ４の脱落を確実に防止できるから、組み立て作業の効率を高めて製造コストを低減することができる。
さらには、コンデンサ４の交換を容易に行うこともできる。
【００３４】
以上、本発明に係る蛍光灯用ソケットのためのコンデンサホルダの一実施形態ついて詳しく説明したが、本発明は上述した実施形態によって限定されるものではなく、種々の変更が可能であることは言うまでもない。
例えば、上述した実施形態においては、インバータ回路用の共振コンデンサを設ける場合を例にとって説明したが、グローランプと組み合わせて用いる雑音防止用コンデンサを設ける場合も全く同様に構成することができる。
また、蛍光灯１側の一方の接続端子とコンデンサ側の一方の接続端子とを短い電線９で接続しているが、両接続端子を一体化して短い電線９を省略することもできる。
さらには、コンデンサ４を本体部分２１のコンデンサ収納部に収納するのではなく、本体部分２１の外側に露出させて保持することもできる。
【図面の簡単な説明】
【００３５】
【図１】蛍光灯用ソケットと取付パネルとの間にコンデンサホルダを介装した状態を示す側面図。
【図２】図１に示した状態における電気配線を模式的に示す平面図。
【図３】図１中のコンデンサホルダを蛍光灯側から見た斜視図。
【図４】図１中のコンデンサホルダを取付パネル側から見た斜視図。
【図５】蛍光灯用ソケットとコンデンサホルダとを組み付けた状態を蛍光灯側から見た斜視図。
【図６】蛍光灯用ソケットとコンデンサホルダとを組み付けた状態を取付パネル側から見た斜視図。
【図７】蛍光灯の電気回路を模式的に示す回路図。
【図８】コンデンサを接続するための従来の電気配線を模式的に示す図。
【符号の説明】
【００３６】
１  蛍光灯
２  電源接続用ハーネス
３  分岐用コネクタ
４  コンデンサ
４ａ，４ｂ  接続端子
５  ハーネス
６  ソケット
７  自動販売機の本体
８  取付パネル（被取付体）
９  電線
１０  蛍光灯用ソケット
１０ａ，１０ｂ  接続端子
１１  係止レバー
１２  案内溝
１３  係止腕
１４  端子収納孔
２０  コンデンサホルダ
２１  本体部分
２２  第１の係合部
２３  第２の係合部
２４  貫通孔
２５  係止部
２６  凸部
２７  係止腕
２８  係止レバー
２９ａ，２９ｂ  端子収納孔
【図１】
2007035443.tif 000003
【図２】
2007035443.tif 000004
【図３】
2007035443.tif 000005
【図４】
2007035443.tif 000006
【図５】
2007035443.tif 000007
【図６】
2007035443.tif 000008
【図７】
2007035443.tif 000009
【図８】
2007035443.tif 000010